(57)【要約】【課題】記録媒体の不要部を必要部から確実に分離してゴミ箱に収納することのできるプリンタを提供する。【解決手段】ロール状の記録媒体Ｒを、その長手方向に対して直交する幅方向に沿って切断するカッター２４と、長手方向に沿って切断するスリッター３７と、カッター２４の移動に連動して可動とされカッター３７により切断された記録媒体Ｒの不要部ＲＢをプリンタ本体２の内部の予め設定された廃棄部６に配置されたゴミ箱１２に向かって誘導する可動ガイド３６と、スリッター３７とともに移動され、スリッター３７により切断された記録媒体Ｒの不要部ＲＢをゴミ箱１２に向かって誘導する移動ガイド３８とを設ける。【選択図】図４
2009066961.tif 000002
【特許請求の範囲】
【請求項１】
プリンタ本体の内部に配設され、画像が記録されたロール状の記録媒体を、前記記録媒体の長手方向に対して直交する幅方向に沿って切断するカッターと、前記記録媒体の長手方向に沿って切断するスリッターとを有しているプリンタであって、
前記カッターは、前記記録媒体の幅方向に沿って往復動可能に形成されており、前記カッターの幅方向への移動により前記記録媒体が幅方向に沿って切断されるように形成されており、
前記スリッターは、少なくとも前記記録媒体の幅方向の端縁から外側に離間した初期位置と、前記記録媒体をその長手方向に沿って切断するための切断位置との２位置を選択的に取り得るように前記記録媒体の幅方向に沿って移動可能に形成されており、前記スリッターの位置を切断位置に移動させた状態で前記記録媒体を搬送することにより前記記録媒体がその長手方向に沿って切断されるように形成されており、
前記カッターの移動に連動して可動とされ、前記カッターにより切断された前記記録媒体の不要部を前記プリンタ本体の内部の予め設定された廃棄部に配置されたゴミ箱に向かって誘導する可動ガイドと、
前記スリッターとともに移動され、前記スリッターにより切断された前記記録媒体の不要部を前記ゴミ箱に向かって誘導する移動ガイドとが設けられていることを特徴とするプリンタ。
【請求項２】
前記カッターがユニット化されてカッターユニットとされており、
前記可動ガイド、前記スリッターおよび前記移動ガイドが前記記録媒体の搬送方向に沿ってこの順に配置された状態でユニット化されてスリッターユニットとされており、
前記スリッターユニットが前記カッターユニットの前記記録媒体の搬送方向の下流側に取り付けられて前記カッターユニットと一体化されて切断ユニットとされていることを特徴とする請求項１に記載のプリンタ。
【請求項３】
前記カッターユニットには、
前記カッターを前記記録媒体の幅方向に沿って往復動させるためのカッター移動手段と、
前記カッター移動手段を駆動させるためのカッター用モータと、
前記可動ガイドを、前記カッターの移動に連動させて、前記記録媒体が搬送経路に沿って移動できるように搬送経路に臨む搬送位置と、前記記録媒体の搬送経路を遮断する誘導位置との２位置の間を選択的に取り得るように駆動させるガイド駆動手段とが設けられており、
前記スリッターユニットには、
前記スリッターを、少なくとも前記初期位置と、前記切断位置との２位置の間を前記記録媒体の幅方向に沿って移動させるためのスリッター移動手段と、
前記スリッター位置移動手段を駆動させるためのスリッター用モータと、
前記移動ガイドを、前記スリッターの移動に連動させて移動させる移動ガイド移動手段と、
前記カッターユニットを通過した前記記録媒体の必要部を前記記録媒体の搬送方向の下流側に搬送するための切断部用搬送手段とが設けられていることを特徴とする請求項２に記載のプリンタ。
【発明の詳細な説明】
【技術分野】
【０００１】
本発明は、プリンタに係り、特に、画像が形成されたロール状の記録媒体から画像が形成されている必要部と、画像の形成されていない余白などからなる不要部とを分離するのに好適なプリンタに関するものである。
【背景技術】
【０００２】
従来から、プラテンにインクフィルムやインクシートなどの幅広のインクリボンと、ロール状の記録媒体とを介して記録媒体の幅方向の記録範囲に対向し得る長さを有するラインサーマルヘッドを当接させ、この当接状態でインクリボンと記録媒体とを搬送しつつラインサーマルヘッドのプラテンの長手方向に配列されてなる記録幅分の複数の発熱素子を、記録情報に基づいて選択的に駆動して発熱させることにより、インクリボンのインクを記録媒体に転写して記録を行うプリンタが知られている（例えば、特許文献１参照）。
【０００３】
このようなプリンタは、特に、写真などの色や明るさの変化を滑らかに表現できる多くの階調が要求される画像の記録に用いられている。
【０００４】
前記プリンタは、複数の色（例えば、シアン（Ｃ）、マゼンタ（Ｍ）、イエロー（Ｙ）、ブラック（ＢＫ）またはオーバーコート（ＯＰ））のインクがそれぞれ塗布された複数のインクリボンと、前記各インクリボンの数に対応する複数の記録ヘッドとを有している。これらの記録ヘッドは、記録媒体の搬送経路に沿ってそれぞれ所定間隔をもって配列されており、それぞれがインクリボンを介して記録媒体に対向するように配置されている。また、各記録ヘッドに対向する位置には、各インクリボンおよび記録媒体を介して、それぞれプラテンが設けられている。
【０００５】
前記プリンタにおいては、記録媒体の搬送方向における最上流側から、第１記録ヘッド、第２記録ヘッド、第３記録ヘッド、第４記録ヘッドとしたとき、記録媒体の記録開始位置が第１記録ヘッドに対向する位置に到達すると、第１記録ヘッドとこの第１記録ヘッドに対向する第１プラテンとを圧接させる。具体的には、第１記録ヘッドを第１記録ヘッドに対向する第１プラテン側にヘッドダウンさせるか、または第１プラテンを第１記録ヘッド側にダウンさせる。そして、第１記録ヘッドと第１プラテンとを記録媒体およびインクリボンを介して圧接させることにより、第１記録ヘッドにより記録媒体に対して例えばＣのインクを転写させる。
【０００６】
続いて、前記記録開始位置が第２記録ヘッドに対向する位置に到達すると、第２記録ヘッドをヘッドダウンさせるか、または第２記録ヘッドに対向する第２プラテンをダウンさせる。そして、第２記録ヘッドと第２プラテンとを記録媒体およびインクリボンを介して圧接させることにより、第２記録ヘッドによりＣのインク上からＭのインクを転写させる。
【０００７】
このように、記録媒体の搬送方向における上流側の記録ヘッドから順次ヘッドダウンさせるか、または上流側のプラテンから順次ダウンさせて記録媒体にインクを転写させることにより、記録媒体上に複数のインクによって所望のカラー画像の記録を行っている。
【０００８】
ところで、画像が形成されたロール状の記録媒体は、画像が記録されている必要部の周囲に存在する余白などの不要部を取り除いてプリンタから排出されるようになっている。
【０００９】
このような不要部ＲＢとしては、図１４に示すように、記録媒体Ｒの長手方向に配列される必要部ＲＡとしての画像と画像との間、最初の画像の先頭側、および、最後の画像の末尾側のそれぞれに、記録媒体Ｒの長手方向に対して直交する幅方向に存在する図１４の斜線領域にて示す横余白ＲＢａがある。
【００１０】
また、不要部ＲＢとしては、例えば、６インチ幅の記録媒体Ｒに５インチ幅の画像を記録する場合などにおいては、横余白ＲＢａに加えて、図１４に破線斜線領域にて示す記録媒体Ｒの幅方向の端部に記録媒体Ｒの長手方向に沿って存在する縦余白ＲＢｂがある。
【００１１】
このため、プリンタの内部には、横余白ＲＢａを除去するために記録媒体Ｒを幅方向に沿って切断するカッターと、縦余白ＲＢｂを除去するために記録媒体をその長手方向に沿って切断するスリッターとが配設されている（例えば、特許文献２参照）。
【００１２】
【特許文献１】特開２０００−２６３８６４号公報
【特許文献２】特開２００２−００２０４０号公報（図１）
【発明の開示】
【発明が解決しようとする課題】
【００１３】
しかしながら、従来のプリンタにおいては、記録媒体Ｒの不要部ＲＢを必要部ＲＡから確実に分離してゴミ箱に収納することができないという問題点があった。
【００１４】
本発明はこの点に鑑みてなされたものであり、記録媒体の不要部を必要部から確実に分離してゴミ箱に収納することのできるプリンタを提供することを目的とする。
【課題を解決するための手段】
【００１５】
前述した目的を達成するため、本発明に係るプリンタの特徴は、プリンタ本体の内部に配設され、画像が記録されたロール状の記録媒体を、前記記録媒体の長手方向に対して直交する幅方向に沿って切断するカッターと、前記記録媒体の長手方向に沿って切断するスリッターとを有しているプリンタであって、前記カッターは、前記記録媒体の幅方向に沿って往復動可能に形成されており、前記カッターの幅方向への移動により前記記録媒体が幅方向に沿って切断されるように形成されており、前記スリッターは、少なくとも前記記録媒体の幅方向の端縁から外側に離間した初期位置と、前記記録媒体をその長手方向に沿って切断するための切断位置との２位置を選択的に取り得るように前記記録媒体の幅方向に沿って移動可能に形成されており、前記スリッターの位置を切断位置に移動させた状態で前記記録媒体を搬送することにより前記記録媒体がその長手方向に沿って切断されるように形成されており、前記カッターの移動に連動して可動とされ、前記カッターにより切断された前記記録媒体の不要部を前記プリンタ本体の内部の予め設定された廃棄部に配置されたゴミ箱に向かって誘導する可動ガイドと、前記スリッターとともに移動され、前記スリッターにより切断された前記記録媒体の不要部を前記ゴミ箱に向かって誘導する移動ガイドとが設けられている点にある。そして、このような構成を採用したことにより、可動ガイドは、カッターにより切断された不要部を、必要部から分離してゴミ箱に向かって確実に誘導することができる。また、移動ガイドは、スリッターにより切断された不要部を、必要部から分離してゴミ箱に向かって確実に誘導することができる。
【００１６】
前記カッターがユニット化されてカッターユニットとされており、前記可動ガイド、前記スリッターおよび前記移動ガイドが前記記録媒体の搬送方向に沿ってこの順に配置された状態でユニット化されてスリッターユニットとされており、前記スリッターユニットが前記カッターユニットの前記記録媒体の搬送方向の下流側に取り付けられて前記カッターユニットと一体化されて切断ユニットとされていることが好ましい。そして、このような構成を採用したことにより、小型化や組付け作業性の向上を容易に図ることができる。
【００１７】
前記カッターユニットには、前記カッターを前記記録媒体の幅方向に沿って往復動させるためのカッター移動手段と、前記カッター移動手段を駆動させるためのカッター用モータと、前記可動ガイドを、前記カッターの移動に連動させて、前記記録媒体が搬送経路に沿って移動できるように搬送経路に臨む搬送位置と、前記記録媒体の搬送経路を遮断する誘導位置との２位置の間を選択的に取り得るように駆動させるガイド駆動手段とが設けられており、前記スリッターユニットには、前記スリッターを、少なくとも前記初期位置と、前記切断位置との２位置の間を前記記録媒体の幅方向に沿って移動させるためのスリッター移動手段と、前記スリッター位置移動手段を駆動させるためのスリッター用モータと、前記移動ガイドを、前記スリッターの移動に連動させて移動させる移動ガイド移動手段と、前記カッターユニットを通過した前記記録媒体の必要部を前記記録媒体の搬送方向の下流側に搬送するための切断部用搬送手段とが設けられていることが好ましい。そして、このような構成を採用したことにより、記録媒体の不要部を必要部から分離してゴミ箱に収納することがより確実かつ容易にできる。
【発明の効果】
【００１８】
本発明に係るプリンタによれば、可動ガイドは、カッターにより切断された不要部を、必要部から分離してゴミ箱に向かって確実に誘導することができる。また、移動ガイドは、スリッターにより切断された不要部を、必要部から分離してゴミ箱に向かって確実に誘導することができる。したがって、記録媒体の不要部を必要部から分離してゴミ箱に向かって誘導することが確実かつ容易にできるなどの優れた効果を奏する。
【発明を実施するための最良の形態】
【００１９】
以下、本発明を図面に示す実施形態により説明する。
【００２０】
まず、本発明に係るプリンタの実施形態の全体構成の概略について図１および図２により説明する。
【００２１】
図１および図２は本発明に係るプリンタの実施形態を示すものであり、図１は全体構成を示す概略図、図２は図１のＡ部拡大図である。
【００２２】
図１に示すように、本実施形態のプリンタ１は、プリンタ本体２の内部において、図１の下部に左右方向に沿ってほぼ水平に配設された供給部３と、図１の右側部に上下方向に沿ってほぼ鉛直に配設された記録部４と、図１の左上角部に右上から左下に向かって傾斜して配設された媒体切断部５と、図１の左側部の上下方向のほぼ中間部に配設された廃棄部６とを有している。また、プリンタ本体２の外部において、図１の左側部の上下方向のほぼ中間部には、プリンタ本体２の側板を介して廃棄部６と対向するように媒体収納部７が配設されている。
【００２３】
したがって、プリンタ本体２の内部において、供給部３、記録部４および媒体切断部５は、全体としてほぼ逆Ｓ字状をなすように配設されており、ロール状の記録媒体としてのロール紙Ｒ（図１４、図８参照）の搬送経路が全体としてほぼ逆Ｓ字状をなすように形成されている。なお、記録媒体の素材としては、紙、樹脂などの各種のものを用いることができる。
【００２４】
前記供給部３は、記録部４に供給するロール紙Ｒを保持するためのものであり、この供給部３には、ロール紙Ｒが巻回された供給ロール８が着脱可能に装着されている。そして、ロール紙Ｒは、図示しない供給用ローラの駆動力によって供給ロール８から繰り出され、図示しないガイド板および複数のガイドローラ９（図１に１つのみ符号を付してある。）などの供給用案内手段により所定の搬送経路に沿って案内されつつ記録部４に搬送されるようになっている。
【００２５】
前記記録部４は、ロール紙Ｒ上に所望の画像を記録するためのものであり、記録部４において全体として図１の下方から上方に向かう搬送経路に沿って複数、本実施形態においてはフルカラーの記録を行うための４つの記録ユニット１０が配列されている。これらの記録ユニット１０は、図１の下方に示す搬送方向の最上流側から図１の上方に示す下流側に向かってこの順に、第１記録ユニット１０Ａ、第２記録ユニット１０Ｂ、第３記録ユニット１０Ｃ、第４記録ユニット１０Ｄとされている。
【００２６】
前記記録部４に配列された各記録ユニット１０のそれぞれは、従来公知の如く、図示しない記録ヘッドとしてのラインサーマルヘッド、プラテンとしてのプラテンローラ、ラインサーマルヘッドに対してプラテンローラを接離させるヘッド接離機構、搬送ローラを有する搬送手段、および、リボンカセットを有している。
【００２７】
前記リボンカセットのインクリボンとしては、例えば、ロール紙Ｒ上にフルカラーの画像を記録するために、第１記録ユニット１０Ａのインクリボンとしてシアン（Ｃ）のインクが塗工されたインクリボンが用いられ、第２記録ユニット１０Ｂのインクリボンとしてマゼンタ（Ｍ）のインクが塗工されたインクリボン２３が用いられ、第３記録ユニット１０Ｃのインクリボンとしてイエロー（Ｙ）のインクが塗工されたインクリボンが用いられ、第４記録ユニット１０Ｄのインクリボンとしてブラック（ＢＫ）またはオーバーコート（ＯＰ）のインクが塗工されたインクリボンが用いられている。
【００２８】
前記媒体切断部５は、記録部４によって画像を記録したロール紙Ｒを所定の長さおよび幅に切断するためのものであり、この媒体切断部５には、ロール紙Ｒをその長手方向に沿った方向および長手方向に対して直交する幅方向に沿った方向に切断可能な後述する切断ユニット１１が配設されている。
【００２９】
前記廃棄部６は、媒体切断部５に設けられた切断ユニット１１により切断されたロール紙Ｒの画像の形成されていない横余白ＲＢａや縦余白ＲＢｂなどの不要部ＲＢ（図１４参照）を回収するためのものであり、この廃棄部６には、上部が開口のゴミ箱１２が配置されている。そして、媒体切断部５で形成された不要部ＲＢが図２の矢印ｂ、ｃにて示す排出方向に沿って排出されてゴミ箱１２の中に入るように形成されている。また、ゴミ箱１２は、プリンタ本体２の側面に設けられている図示しない扉を開放した状態で着脱自在に配置されている。
【００３０】
前記媒体収納部７は、媒体切断部５に設けられた切断ユニット１１により切断されたロール紙Ｒの画像の形成されている必要部ＲＡ（図１４参照）を回収するためのものであり、この媒体収納部７には、上部が開口のトレイ１３が配置されている。そして、媒体切断部５から排出された画像が形成されている必要部ＲＡが、図２の矢印ａにて示す記録媒体の搬送方向（以下、単に、搬送方向と記す。）に沿って排出されてトレイ１３の中に入るように形成されている。また、トレイ１３は、プリンタ本体２の側面に着脱自在に取り付けられている。なお、ロール紙Ｒの必要部ＲＡは、切断ユニット１１の後述する切断部用搬送ローラ３９によって排出されてトレイ１３に順次収納されるようになっている。
【００３１】
ここで、切断ユニット１１の構成について図３から図１３により説明する。
【００３２】
図３は切断ユニットの要部を示す外観斜視図、図４は図３の拡大断面図、図５はカッターユニットの要部を示す外観斜視図、図６はカッター移動手段の要部を示す模式図、図７はスリッターユニットの要部を示す外観斜視図、図８は図７の要部を示す拡大下面図、図９は可動ガイドの待機状態の要部を示す外観斜視図、図１０は可動ガイドの待機状態の要部を示す断面図、図１１は横余白切断終了状態の要部の外観斜視図、図１２はスリッターの配置を搬送方向の上流側から見て示す模式図、図１３は縦余白切断状態の要部を示す拡大下面図である。
【００３３】
図３および図４に示すように、本実施形態の切断ユニット１１は、カッターユニット２１とスリッターユニット２２とを有している。そして、スリッターユニット２２は、カッターユニット２１の図３の矢印ａにて示す搬送方向の下流側に図示しないねじなどにより取り付けられて一体化されている。すなわち、スリッターユニット２２がカッターユニット２１の搬送方向の下流側に取り付けられて一体化されて切断ユニット１１とされている。
【００３４】
前記カッターユニット２１は、図３から図６に示すように、ロール紙Ｒをその長手方向に対して直交する幅方向、すなわち、搬送方向に対して直交する方向に沿って切断するためのカッター２４（図６）を有している。
【００３５】
本実施形態のカッター２４としては、回転丸刃が用いられている。そして、カッター２４は、図６に示すように、その中心部に形成された図示しない孔がカッター支持軸２５の一端側に差し込まれて回転自在に取り付けられている。このカッター支持軸２５の他端は、全体としてほぼ平板状に形成されたキャリッジ２６の搬送方向の下流側に配置された一面に取り付けられている。また、キャリッジ２６の一面には、カッター２４の下部が露出するように覆うカッターカバー２７が着脱自在に取り付けられている。また、カッターカバー２７の一面の上部近傍には、平面ほぼ山形の山形カム２８がその先端をロール紙Ｒの搬送方向の下流側に向けて突出するようにして形成されている。
【００３６】
前記キャリッジ２６は、歯付きベルト２９の予め設定された位置に取り付けられており、この歯付きベルト２９は、間隔をおいて配置された左右１対の歯付きベルトプーリ３０、３０に掛け渡されている。これらの歯付きベルトプーリ３０、３０は、全体としてほぼ平板状に形成されたカッター用取付フレーム３１（図５）の一面の図６の左右方向に示す長手方向の両端部近傍側に回転自在に支持されている。また、左右１対の歯付きベルトプーリ３０、３０のうちの図６の左方に示す一方は、カッター用取付フレーム３１の搬送方向の上流側に配置されている他面に取り付けられたパルスモータなどのカッター用モータ３２の駆動力によって回転駆動可能に形成されている。
【００３７】
したがって、カッター用モータ３２を回転駆動させることにより、キャリッジ２６は、カッター用取付フレーム３１に取り付けられたガイド板３３に沿って図６の両矢印にて示すようにロール紙Ｒの幅を超えて往復動可能に形成されている。その結果、カッター２４は、ロール紙Ｒの長手方向と直交する幅方向、すなわち、図３の矢印ａにて示す搬送方向に対して直交する方向に沿って記録媒体の幅を超える移動範囲において往復動可能に形成されている。
【００３８】
前記キャリッジ２６、歯付きベルトプーリ３０、３０、歯付きベルト２９により、本実施形態のカッター２４を記録媒体の幅方向に沿って往復動させるためのカッター移動手段３４が構成されている。
【００３９】
したがって、カッター用モータ３２は、カッター移動手段３４を駆動させるための駆動源とされている。
【００４０】
また、カッター２４としては、メスあるいはナイフであってもよい。この場合、メスあるいはナイフの受け板をメスあるいはナイフの移動軌跡に沿って配置することが好ましい。
【００４１】
前記スリッターユニット２２は、図３、図４、図７に示すように、可動ガイド３６と、スリッター３７と、移動ガイド３８と、切断部用搬送手段としての切断部用搬送ローラ３９とを有している。そして、可動ガイド３６、スリッター３７、および、移動ガイド３８は、矢印ａにて示す搬送方向に沿ってこの順に配列されている。
【００４２】
前記可動ガイド３６は、カッター２４により切断されたロール紙Ｒの不要部ＲＢである横余白ＲＢａをプリンタ本体２の内部に予め設定された廃棄部６に配置されたゴミ箱１２に向かって誘導するためのものであり、上面が平坦な平板状に形成されている。この可動ガイド３６の長さは、ロール紙Ｒの幅より長く形成されており、上面の長手方向の中央部分は、ロール紙Ｒを案内する案内面４０とされている。そして、上面の左端部近傍の案内面４０を外れた位置には、作動体４１が突設されている。また、可動ガイド３６の下面の搬送方向の下流側には、搬送方向の下流側に向かって下面から離間する傾斜面４２が形成されており、下面の搬送方向の上流側に位置する下面先端面と、これに続く傾斜面４２とによりほぼくの字状の横余白誘導面４３が構成されている。
【００４３】
前記可動ガイド３６の長手方向の両端面の中央部には、それぞれガイド支持ピン４４（図９）の一端が嵌合されており、可動ガイド３６は、両ガイド支持ピン４４を中心として回転可能に支持されている。これらのガイド支持ピン４４の他端は、スリッター用取付フレーム４５の搬送方向の上流側に配置される背面に支持されている（図８）。また、可動ガイド３６は、ガイド支持ピン４４の外周に胴部が挿入された図示しないねじりコイルばねなどからなる付勢ばねの付勢力によって、図４の時計方向へ付勢されている。
【００４４】
前記可動ガイド３６は、図４および図９に示すように、常時は、作動体４１の搬送方向の上流側に位置する当接面４１ａに、カッターカバー２７の山形カム２８が当接された待機状態とされており、図４に示すように、横余白誘導面４３が搬送経路を壁となるように遮断してカッター２４により切断されたロール紙Ｒの不要部ＲＢである横余白ＲＢａを矢印ｂにて示す方向、すなわち、廃棄部６に配置されたゴミ箱１２に向かって誘導することができる記録媒体の搬送経路を遮断する誘導状態とされている。
【００４５】
また、ロール紙Ｒの不要部ＲＢをカッター２４で切断する際のカッター２４の移動の途中で、山形カム２８が当接面４１ａから離間するように形成されており、山形カム２８が当接面４１ａから離間すると、可動ガイド３６は、付勢ばねの付勢力によってガイド支持ピン４４を中心として図４の時計方向へ回転することになる。この可動ガイド３６の回転は、図示しないストッパにより阻止されて、図１０に示すように、可動ガイド３６の案内面４０がロール紙Ｒの搬送経路と平行な状態となり、案内面４０は、ロール紙Ｒの搬送経路に下方から臨むように配置され、カッター２４により横余白ＲＢａが除去された状態のロール紙Ｒの必要部ＲＡが矢印ａにて示す搬送方向に沿って搬送可能な搬送経路に臨む搬送状態とされるようになっている。
【００４６】
なお、カッター２４がロール紙Ｒの幅を超えて移動して、ロール紙Ｒをその幅方向に切断した後の横余白切断終了状態の要部の外観斜視図を図１１に示す。
【００４７】
前記山形カム２８により、本実施形態の可動ガイド３６を、カッター２４の移動に連動させて、ロール紙Ｒが搬送経路に沿って移動できるように搬送経路に臨む搬送位置（図１０：矢印ａにて示す搬送方向に必要部ＲＡを搬送可能：縦余白ＲＢｂ含む場合もある）と、搬送経路を遮断する誘導位置（図４：矢印ｂにて示す搬送方向に横余白を誘導可能）との２位置の間を選択的に取り得るように駆動させるガイド駆動手段４６が構成されている。
【００４８】
前記スリッター用取付フレーム４５の矢印ａにて示す搬送方向の下流側には搬送経路を介して上下方向に対向する１対の切断部用搬送ローラ３９がその軸心を搬送方向に対して直交する方向、すなわち記録媒体の幅方向と平行に延在するように配置されている。これらの切断部用搬送ローラ３９のそれぞれは、回転軸４７の外周面に記録媒体に接触可能な２つの円筒状のローラ体４８を間隔をおいて配置することにより形成されている（図８）。そして、回転軸４７の両端部分が、スリッター用取付フレーム４５の搬送方向の下流側に位置する面に配設されたサブフレーム４９の左右１対の側板部４９ａによって回転自在に支持されている。さらに、回転軸４７の両端は、側板部４９ａから突出されている。また、両切断部用搬送ローラ３９のそれぞれのローラ体４８の外周面は、対向するローラ体４８の外周面と当接されており、ロール紙Ｒを挟持することができるようになっている。
【００４９】
したがって、１対の切断部用搬送ローラ３９は、カッターユニット２１を通過したロール紙Ｒの必要部ＲＡを矢印ａにて示す搬送方向の下流側に搬送するための切断部用搬送手段とされている。
【００５０】
前記両切断部用搬送ローラ３９は、一方が駆動ローラ、他方が従動ローラか、または両方連結駆動とされており、駆動ローラの少なくとも一端部には、歯車伝動、Ｖベルト伝動、歯付きベルト２９伝動などの回転伝動機構（図示せず）を介して搬送用駆動モータ（図示せず）が接続されており、駆動ローラは、搬送用駆動モータの駆動力をもって回転駆動可能にされ、従動ローラは、駆動ローラからの駆動力が伝達されて従動回転するように形成されている。そして、切断部用搬送ローラ３９を回転させることにより、ロール紙Ｒを矢印ａにて示す搬送方向へ搬送することができるようになっている。なお、駆動ローラの回転方向に対して従動ローラは逆方向に回転するように形成されている。
【００５１】
前記回転軸４７の外周のローラ体４８の取付位置より外側のそれぞれには、円筒状に形成されたスリッター取付体５１が嵌合されている。そして、スリッター取付体５１は、スリッター取付体５１の内孔と回転軸４７の外周面との相互の対向面に形成された図示しないスプラインあるはセレーションなどの歯と溝により、回転軸４７上を回転軸４７の軸線に沿って移動可能、かつ、回転軸４７と一体回転できるように形成されている（図８）。したがって、スリッター３７は、切断部用搬送ローラ３９の回転に連動して同方向に回転するようになっている。
【００５２】
前記スリッター取付体５１の外周面の長手方向のほぼ中央部には、スリッター３７が配置されている。
【００５３】
前記スリッター３７は、ロール紙Ｒをその長手方向に沿って切断するためのものであり、本実施形態においては、回転丸刃が用いられている。そして、スリッター３７は、その中心部が円筒状に形成されたスリッター取付体５１の外周に嵌合されて着脱自在に取り付けられている。
【００５４】
前記両切断部用搬送ローラ３９のそれぞれのスリッター３７は、搬送経路を介して一方の切断部用搬送ローラ３９に配設されたスリッター３７の外周に設けた刃部の端面と、他方の切断部用搬送ローラ３９に配設されたスリッター３７の外周に設けた刃部の端面とが対向するように配置されている（図４、図１０）。
【００５５】
なお、スリッター３７の配置を搬送方向の上流側から見た模式図を図１２に示す。
【００５６】
したがって、本実施形態においては、上下１対の切断部用搬送ローラ３９のそれぞれに２つ（総計４つ）のスリッター３７が配設されており、スリッター３７は、切断部用搬送ローラ３９とともに回転するように形成されている。
【００５７】
前記両切断部用搬送ローラ３９に配設されたスリッター取付体５１のうちの搬送経路を介して相互に対向するスリッター取付体５１のそれぞれは、スライダー５２によって連結されている。
【００５８】
したがって、スライダー５２は、回転軸４７の一端側と他端側とに配置されている。そして、これらのスライダー５２は、図４の左側（図７の上方）に示す一方の回転軸４７に、その軸線方向に沿って移動自在に取り付けられている。また、両スライダー５２、ひいては１つの切断部用搬送ローラ３９に配設された２つのスリッター３７は、回転軸４７の長手方向のほぼ中央部、詳しくは搬送経路を搬送される記録媒体の幅方向の中央部を含む仮想立面を仮想対称面として対向するように面対称に配置されている。なお、前記ローラ体４８も、スライダー５２と同様に面対称に配置されている。
【００５９】
前記両スライダー５２には、移動ガイド３８が延出形成されている。この移動ガイド３８は、スリッター３７により切断されたロール紙Ｒの不要部ＲＢである縦余白ＲＢｂ（図１４参照）をゴミ箱１２に向かって誘導するためのものであり、断面円弧状をなす曲板状に形成されている。この移動ガイド３８は、内面を搬送方向の上流側に向けて配置されているとともに、スリッター３７よりロール紙Ｒの幅方向の外側に隣位するようにして、搬送方向の下流側に配置されている。また、移動ガイド３８の内面は、縦余白誘導面５３（図２、図４、図１０）とされている。
【００６０】
前記スライダー５２には、回転軸４７の長手方向の中央部に向かって腕部５４が形成されている。この腕部５４は、回転軸４７と平行に延出されており、その先端にはカムフォロワ５５が突設されている。このカムフォロワ５５としては、円柱状もしくは円筒状などのピン、あるいは、カムコロが用いられる。そして、カムフォロワ５５は、切断部用搬送ローラ３９の上方に水平に配置された円板状のカム板５６の下面に形成されたカム溝５７に係合されている。このカム溝５７は、ロール紙Ｒの幅方向が長く、長手方向が短いほぼ楕円状に形成されている（図８）。
【００６１】
前記カム板５６は、サブフレーム４９の天板４９ｂの下面に回転自在に取り付けられている。このカム板５６の回転中心は、前述した搬送経路を搬送されるロール紙Ｒの幅方向の中央部を含む仮想立面に配置されている。また、カム板５６は、スリッター用取付フレーム４５に図示しない支持フレームを介して取り付けられたカム板用駆動モータ５８の駆動力によって回転駆動可能とされている。
【００６２】
したがって、カム板５６をカム板用駆動モータ５８の駆動力をもって回転駆動させることにより、カム溝５７の形状に沿ってカムフォロワ５５が変位し、このカムフォロワ５５の変位により、スライダー５２が回転軸４７上をその軸線方向に沿って移動させることができるように形成されている。このとき、スライダー５２の移動に連動して、スリッター３７および移動ガイド３８をロール紙Ｒの幅方向に沿って移動させることができるように形成されている。
【００６３】
前記スリッター３７は、図８に示すように、カムフォロワ５５がカム溝５７の内部においてカム板５６の中心から径方向外側に向かって最も離間した大径部に位置したときに、ロール紙Ｒの幅方向において対向するスリッター３７間の間隔がロール紙Ｒの幅より大きくなり、各スリッター３７がロール紙Ｒの幅方向の端縁から外側に離間した初期位置を保持することができるように形成されている。このとき、カッターユニット２１を通過したロール紙Ｒは、１対の切断部用搬送ローラ３９によって、矢印ａにて示す搬送方向に沿って搬送され、トレイ１３に収納されるようになっている。
【００６４】
前記スリッター３７は、カム板５６が図８に示す位置から９０°回転すると、図１３に示すように、カムフォロワ５５が、カム溝５７の内部においてカム板５６の中心から径方向内側に向かって最も接近した小径部に位置される。このとき、各スリッター３７および移動ガイド３８は、スライダー５２とともに回転軸４７の長手方向の中央部側に移動して、スリッター３７は、ロール紙Ｒ、詳しくはロール紙Ｒの幅方向の両側に形成される縦余白ＲＢｂを長手方向に沿って切断するための切断位置に保持され、移動ガイド３８の縦余白誘導面５３は、矢印ａにて示す搬送経路を壁となるように遮断する位置に保持される。その結果、スリッター３７により切断されたロール紙Ｒの不要部ＲＢである縦余白ＲＢｂは、図２の矢印ｃにて示す方向、すなわち、廃棄部６に配置されたゴミ箱１２に向かって誘導され、スリッター３７により切断されたロール紙Ｒの画像が形成されている必要部ＲＡは、矢印ａにて示す方向、すなわち、媒体収納部７に配置されたトレイ１３向かって誘導されるように形成されている。
【００６５】
したがって、スリッター３７は、記録媒体としてのロール紙Ｒから離間した初期位置と、ロール紙Ｒを長手方向に沿って切断するための切断位置との２位置の間をロール紙の幅方向に沿って移動可能に形成されている。また、移動ガイド３８は、スリッター３７とともに移動され、スリッター３７により切断されたロール紙Ｒの不要部ＲＢとしての縦余白ＲＢｂをゴミ箱１２に向かって誘導することができるように形成されている。
【００６６】
前記スライダー５２およびカム板５６により、本実施形態のスリッター３７を、少なくとも記録媒体から離間した初期位置と、記録媒体をその長手方向に沿って切断するための切断位置との２位置の間を記録媒体の幅方向に沿って移動させるためのスリッター移動手段５９が構成されている。
【００６７】
前記スライダー５２およびカム板５６により、本実施形態の移動ガイド３８を、スリッター３７の移動に連動させて移動させる移動ガイド移動手段６０が構成されている。
【００６８】
すなわち、本実施形態のスライダー５２およびカム板５６は、スリッター移動手段５９と移動ガイド移動手段６０との両機能を併せ持つように構成されている。
【００６９】
したがって、カム板用駆動モータ５８は、スリッター移動手段５９および移動ガイド移動手段６０を駆動させるための駆動源とされている。
【００７０】
すなわち、カム板用駆動モータ５８は、スリッター移動手段５９を駆動させるためのスリッター用モータとされている。
【００７１】
なお、カム板５６が停止したときの回転角度を変更することにより、複数の切断位置を設けることができる。勿論、カム溝５７の形状を変更してもよい。
【００７２】
また、１本の回転軸４７に配設された２つのスリッター３７のうちの一方を除くことにより、記録媒体の幅方向の両端のうちの一端に形成される縦余白ＲＢｂのみをその長手方向に沿って切断する構成とすることもできる。
【００７３】
本実施形態のプリンタ１には、図示しない制御手段が設けられている。この制御手段は、各部の動作の制御を司るためのものであり、ＣＰＵおよびメモリを主として構成されている。そして、制御手段には、少なくとも前述したカッター用モータ３２およびカム板用駆動モータ５８を含む各駆動源、電源スイッチ、操作スイッチ、情報の入力に用いる入力スイッチなどの各種のスイッチ、表示パネルなどの表示手段、各種の動作の検出や位置の検出などに用いる各種のセンサが電気的に接続されている。そして、制御手段から送出される制御指令により、少なくとも前述したカッター用モータ３２およびカム板用駆動モータ５８を含む各駆動源の動作順序、動作タイミング、駆動量などが予めメモリに記憶されたプログラムに基づいて制御されるように構成されている。
【００７４】
なお、切断ユニット１１としては、スリッターユニット２２を個別に容易に着脱自在とする構成としてもよい。このような構成とした場合、可動ガイド３６をカッターユニット２１、例えば、カッター用取付フレーム３１に支持させることが肝要である。そして、スリッターユニット２２を個別に着脱自在とする構成とすることにより、スリッターユニット２２をオプションとすることができる。その結果、横余白ＲＢａおよび縦余白ＲＢｂが発生する仕様だけでなく、横余白ＲＢａのみが発生する仕様にも用いることができるので、汎用性が向上する。
【００７５】
勿論、切断ユニット１１としては、カッターユニット２１のみの構成とすることもできる。すなわち、縦余白ＲＢｂが発生しない仕様の場合には、スリッターユニット２２を必要としないので、スリッターユニット２２を設ける必要がない。このような構成とした場合においても、可動ガイド３６をカッターユニット２１、例えば、カッター用取付フレーム３１に支持させることが肝要である。
【００７６】
その他の構成については、従来公知のプリンタと同様とされているので、その詳しい説明については省略する。
【００７７】
つぎに、前述した構成からなる本実施形態の作用について説明する。
【００７８】
なお、記録媒体に画像を形成する記録動作などの各種の動作制御は、従来と同様とされているので、本発明の要旨である記録媒体の切断動作についてのみ以下に説明する。
【００７９】
本実施形態のプリンタ１によれば、カッター２４により画像が記録されたロール状の記録媒体としてのロール紙Ｒを、ロール紙Ｒの長手方向に対して直交する幅方向に沿って確実に切断することができるとともに、スリッター３７により、ロール紙Ｒの長手方向に沿って確実に切断することができる。
【００８０】
また、本実施形態のプリンタ１によれば、カッター２４により切断されたロール紙Ｒの不要部ＲＢをプリンタ本体２の内部に予め設定された廃棄部６に配置されたゴミ箱１２に向かって誘導する可動ガイド３６と、スリッター３７により切断されたロール紙Ｒの不要部ＲＢをゴミ箱１２に向かって誘導する移動ガイド３８とが設けられているので、可動ガイド３６は、カッター２４により切断された不要部ＲＢを、必要部ＲＡから分離してゴミ箱１２に向かって確実に誘導することができるし、移動ガイド３８は、スリッター３７により切断された不要部ＲＢを、必要部ＲＡから分離してゴミ箱１２に向かって確実に誘導することができる。
【００８１】
したがって、本実施形態のプリンタ１によれば、ロール紙Ｒの不要部ＲＢを必要部ＲＡから分離してゴミ箱１２に向かって誘導することが確実かつ容易にできる。
【００８２】
また、本実施形態のプリンタ１によれば、カッター２４と可動ガイド３６とがユニット化されてカッターユニット２１とされており、スリッター３７と移動ガイド３８とがユニット化されてスリッターユニット２２とされており、スリッターユニット２２がカッターユニット２１の記録媒体の搬送方向の下流側に取り付けられて一体化されているので、小型化や組付け作業性の向上を容易に図ることができる。
【００８３】
また、本実施形態のプリンタ１によれば、カッター用モータ３２を駆動させることにより、カッター２４をロール紙Ｒの幅方向に沿って確実に往復動させることができ、ガイド駆動手段４６により、可動ガイド３６を、カッター２４の移動に連動させて、ロール紙Ｒが搬送経路に沿って移動できるように搬送経路に臨む搬送位置と、ロール紙Ｒの搬送経路を遮断する誘導位置との２位置の間を選択的に取り得るように確実に駆動させることができる。その結果、ロール紙Ｒをその長手方向に対して直交する幅方向に沿って確実に切断することができるとともに、カッター２４により切断されたロール紙Ｒの不要部ＲＢをプリンタ本体２の内部に予め設定された廃棄部６に配置されたゴミ箱１２に向かって確実かつ容易に誘導することができる。
【００８４】
また、本実施形態のプリンタ１によれば、カム板用駆動モータ５８を駆動させることにより、スリッター移動手段５９で、ロール紙Ｒから離間した初期位置と、ロール紙Ｒをその長手方向に沿って切断するための切断位置との２位置を選択的に取り得るようにスリッター３７の位置を確実かつ容易に移動させることができるとともに、スリッター３７の移動に連動させて移動ガイド３８の位置を同動させて確実かつ容易に移動させることができる。その結果、ロール紙Ｒを長手方向に沿って切断する必要がある場合、例えば６インチ幅のロール紙Ｒに５インチ幅の画像を記録した場合には、カム板用駆動モータ５８を駆動させてスリッター３７を切断位置に移動させて保持することにより、ロール紙Ｒをその長手方向に沿って確実かつ容易に切断することができるとともに、スリッター３７により切断されたロール紙Ｒの不要部ＲＢである縦余白ＲＢｂをプリンタ本体２の内部に予め設定された廃棄部６に配置されたゴミ箱１２に向かって確実かつ容易に誘導することができる。勿論、ロール紙Ｒをその長手方向に沿って切断する必要のない場合には、スリッター３７を初期位置に位置させて容易かつ確実に保持することができる。
【００８５】
また、本実施形態のプリンタ１によれば、切断部用搬送手段としての切断部用搬送ローラ３９が設けられているので、カッターユニット２１を通過したロール紙Ｒの必要部ＲＡを矢印ａにて示す搬送方向の下流側に確実かつ容易に搬送することができる。その結果、切断した後のロール紙Ｒの必要部ＲＡを媒体収納部７に配置されているトレイ１３に向かって容易かつ確実に搬送させることができる。
【００８６】
なお、本発明は、前述した実施形態に限定されるものではなく、必要に応じて種々の変更が可能である。
【図面の簡単な説明】
【００８７】
【図１】本発明に係るプリンタの実施形態の全体構成を示す概略図
【図２】図１のＡ部拡大図
【図３】図１の切断ユニットの要部を示す外観斜視図
【図４】図３の拡大断面図
【図５】図３のカッターユニットの要部を示す外観斜視図
【図６】図３のカッターユニットのカッター移動手段の要部を示す模式図
【図７】図３のスリッターユニットの要部を示す外観斜視図
【図８】図７の要部を示す拡大下面図
【図９】図３の切断ユニットの可動ガイドの待機状態の要部を示す外観斜視図
【図１０】図３の切断ユニットの可動ガイドの待機状態の要部を示す断面図
【図１１】図３の切断ユニットによる横余白切断終了状態の要部の外観斜視図
【図１２】図７のスリッターユニットのスリッターの配置を搬送方向の上流側から見て示す模式図
【図１３】図７のスリッターユニットによる縦余白切断状態の要部の外観斜視図
【図１４】記録媒体の必要部と不要部との関係を示す模式図
【符号の説明】
【００８８】
１  プリンタ
２  プリンタ本体
３  供給部
４  記録部
５  媒体切断部
６  廃棄部
７  媒体収納部
８  供給ロール
１０  記録ユニット
１１  切断ユニット
１２  ゴミ箱
１３  トレイ
２１  カッターユニット
２２  スリッターユニット
２４  カッター  
２６  キャリッジ
２８  山形カム
２９  歯付きベルト
３０  歯付きベルトプーリ
３４  カッター移動機構
３６  可動ガイド
３７  スリッター
３８  移動ガイド
３９  切断舞踊搬送ローラ
４１  作動体
４３  横余白誘導面
４６  ガイド駆動手段
４８  ローラ体
５１  スリッター取付体
５２  スライダー
５３  縦余白誘導面
５４  腕部
５５  カムフォロワ
５６  カム板
５７  カム溝
５８  カム板用駆動モータ
５９  スリッター移動手段
６０  移動ガイド移動手段
Ｒ  ロール紙
ＲＡ  必要部
ＲＢ  不要部
ＲＢａ  横余白
ＲＢｂ  縦余白
ａ、ｂ、ｃ  搬送方向
【図１】
2009066961.tif 000003
【図２】
2009066961.tif 000004
【図３】
2009066961.tif 000005
【図４】
2009066961.tif 000006
【図５】
2009066961.tif 000007
【図６】
2009066961.tif 000008
【図７】
2009066961.tif 000009
【図８】
2009066961.tif 000010
【図９】
2009066961.tif 000011
【図１０】
2009066961.tif 000012
【図１１】
2009066961.tif 000013
【図１２】
2009066961.tif 000014
【図１３】
2009066961.tif 000015
【図１４】
2009066961.tif 000016